(57)【要約】【課題】外断熱工法に適用して型枠兼用として建て込みができるとともに、外装材などの支持強度や通気性を確保することができる型枠兼用外断熱パネルおよびこれを用いた外断熱通気工法を提供すること。【解決手段】硬質発泡プラスチックボード１１の屋外側となる面に、複数本の金属素材の縦桟木１２を、一部を埋め込んで設ける一方、これら縦桟木の間に建て込み用の補助桟木１４を、一部を埋め込んで取り付け得るとともに、取り外して通気路とする桟木取付通気溝１３を設ける。  金属素材の縦桟木１２で、外装材を固定できる強度を確保し、コンクリート打設時の側圧荷重に対しては縦桟木１２と桟木取付通気溝１３に取り付けた補助桟木１４とで耐圧強度を確保する。側圧荷重が作用しないコンクリートの固化養生後に補助桟木１４を取り外すことで、桟木取付通気溝１３までも通気路として通気性を大幅に高めるようにする。  これにより、この型枠兼用外断熱パネルを用いることで、外断熱通気工法を簡単に施工することができる。【選択図】図２
2007218022.tif 000002
【特許請求の範囲】
【請求項１】
硬質発泡プラスチックボードの屋外側となる面に、複数本の金属素材からなる縦桟木の一部を埋め込んで設ける一方、これら縦桟木の間に建て込み用の補助桟木の一部を埋め込んで取り付け得るとともに、取り外して通気路とする桟木取付通気溝を設けたことを特徴とする型枠兼用外断熱パネル。
【請求項２】
前記縦桟木と前記補助桟木とを同一断面形状の金属角パイプで構成したことを特徴とする請求項１記載の型枠兼用外断熱パネル。
【請求項３】
前記縦桟木を前記硬質発泡プラスチックボードに接着固定する一方、前記補助桟木を前記桟木取付通気溝に着脱可能に装着してなることを特徴とする請求項１または２記載の型枠兼用外断熱パネル。
【請求項４】
前記縦桟木にコンクリート打設側に突き出すアンカー部材を設けてなることを特徴とする請求項１〜３のいずれかに記載の型枠兼用外断熱パネル。
【請求項５】
前記硬質発泡プラスチックボードの屋外側の左右両端部に、隣接する前記硬質発泡プラスチックボードとで前記補助桟木を取り付け得る段差部を設けてなることを特徴とする請求項１〜４のいずれかに記載の型枠兼用外断熱パネル。
【請求項６】
硬質発泡プラスチックボードの屋外側となる面に、複数本の金属素材の縦桟木が一部を埋め込んで固定された型枠兼用外断熱パネルの前記縦桟木の間に設けられた桟木取付通気溝に、建て込み用の補助桟木の一部を埋め込んで取り付け、この型枠兼用外断熱パネルと打設空間をあけて内側型枠を組み立てた後、前記打設空間にコンクリートを打設・養生し、前記桟木取付通気溝に取り付けた前記補助桟木を取り外して通気路を形成するようにしたことを特徴とする型枠兼用外断パネルを用いた外断熱通気工法。
【請求項７】
前記縦桟木と前記補助桟木とを同一断面形状の金属角パイプで構成したことを特徴とする請求項６記載の型枠兼用外断熱パネルを用いた外断熱通気工法。
【請求項８】
前記縦桟木にコンクリート打設側に突き出すアンカー部材を取り付けた後、コンクリートを打設するようにしたことを特徴とする請求項６または７記載の型枠兼用外断熱パネルを用いた外断熱通気工法。
【請求項９】
前記型枠兼用外断熱パネルを上下方向に連結して組み立てるとともに、これら型枠兼用外断熱パネルの前記上下の桟木取付通気溝にまたがって前記補助桟木を取り付けるようにしたことを特徴とする請求項６〜８のいずれかに記載の型枠兼用外断熱パネルを用いた外断熱通気工法。
【発明の詳細な説明】
【技術分野】
【０００１】
この発明は、型枠兼用外断熱パネルおよびこれを用いた外断熱通気工法に関し、鉄筋コンクリートなどの建築物の外断熱を、コンクリート打設用の型枠の建て込みと同時に通気断熱施工ができるようにしたものである。
【背景技術】
【０００２】
従来、鉄筋コンクリート造の集合住宅やオフィスビルなどの建築物では、省エネルギーや快適居住のため外気と接する外壁部や屋根部などを断熱材で覆って断熱性を高める断熱施工が普及しつつある。
【０００３】
このようなコンクリート建築物の断熱施工には、壁面の内側に断熱材を設ける内断熱工法と、壁面の外側に断熱材を設ける外断熱工法とがあり、これまでは、内断熱工法が主流となっている。
【０００４】
このような内断熱工法における施工の効率化を図るため、断熱型枠パネルが開発されており（例えば、特許文献１参照）、硬質発泡プラスチックボードの室内側面に複数の縦桟木と横桟木を半埋め込み式で取り付けて構成されている。
【０００５】
そして、縦桟木と横桟木とが取り付けられた断熱型枠パネルを内型枠とし、打設空間を空けて外型枠を建て込み、コンクリートを打設した後、外型枠だけを取り外して内側の断熱型枠パネルをそのまま残して断熱材とし、縦桟木と横桟木を利用して内装下地材を設けて内装施工するようにしている。
【特許文献１】特開２０００−１９９２８８号公報
【発明の開示】
【発明が解決しようとする課題】
【０００６】
最近、建築物に対する断熱性能の向上が求められ、これまでの内断熱工法に代え、壁面の外側を断熱材で覆う外断熱工法が採用される傾向にある。
【０００７】
この外断熱工法でも、コンクリート打設用の型枠の建て込みと断熱材の取り付けとを同時にできる型枠兼用パネルの使用が求められる。
【０００８】
そこで、これまでの内断熱工法に用いられてきた断熱型枠パネルをそのまま使用することが考えられるが、次のような問題があり、そのまま転用することができない。
【０００９】
内断熱工法では、断熱型枠パネルの桟木を利用して内装下地材を取り付け、この内装下地材の上に壁紙などの内装材を接着するなどの内装施工が行われる。
【００１０】
これに対し、外断熱工法では、断熱型枠パネルの外側に外装下地材や外装材を取り付ける外装施工を行うが、外装材などは、内装下地材および内装材に比べ重量があり、大きな荷重を支持できるものでなければならない。
【００１１】
また、タイルや窯業系など外装材の材質によっては、内装材に比べて透湿性が低く外装材などの内側に結露が生じ易く、またコンクリートからの水分が外装材の内側に放出されることから、内断熱工法に比べ、断熱型枠パネルと外装下地材や外装材との間の通気性を大幅に高める必要がある。
【００１２】
この発明は、上記従来技術の問題点に鑑みてなされたもので、外断熱工法に適用して型枠兼用として建て込みができるとともに、外装材などの支持強度や通気性を確保することができる型枠兼用外断熱パネルおよびこれを用いた外断熱通気工法を提供しようとするものである。
【課題を解決するための手段】
【００１３】
そこで、外断熱用の型枠兼用断熱パネルについて鋭意検討を重ねた結果、打設されるコンクリートの側圧荷重を断熱パネルを介して支持するためには、桟木を増やして配置密度を高める必要がある一方、外装材や外装下地材との間の通気性を確保するためには、横桟木をなくすとともに、縦桟木を少なくしなければならないという相反する要求がある。
【００１４】
そこで、縦桟木だけを用いることにし、コンクリートの側圧荷重を支持する必要がある場合には、本数を多くし、コンクリート打設後は、一部の縦桟木を取り除くことで、通気路を確保できることを見出し、この発明を完成したものである。
【００１５】
すなわち、上記課題を解決するため、この発明の請求項１記載の型枠兼用外断熱パネルは、硬質発泡プラスチックボードの屋外側となる面に、複数本の金属素材からなる縦桟木の一部を埋め込んで設ける一方、これら縦桟木の間に建て込み用の補助桟木の一部を埋め込んで取り付け得るとともに、取り外して通気路とする桟木取付通気溝を設けたことを特徴とするものである。
【００１６】
また、この発明の請求項２記載の型枠兼用外断熱パネルは、請求項１記載の構成に加え、前記縦桟木と前記補助桟木とを同一断面形状の金属角パイプで構成したことを特徴とするものである。
【００１７】
さらに、この発明の請求項３記載の型枠兼用外断熱パネルは、請求項１または２記載の構成に加え、前記縦桟木を前記硬質発泡プラスチックボードに接着固定する一方、前記補助桟木を前記桟木取付通気溝に着脱可能に装着してなることを特徴とするものである。
【００１８】
また、この発明の請求項４記載の型枠兼用外断熱パネルは、請求項１〜３のいずれかに記載の構成に加え、前記縦桟木にコンクリート打設側に突き出すアンカー部材を設けてなることを特徴とするものである。
【００１９】
さらに、この発明の請求項５記載の型枠兼用外断熱パネルは、請求項１〜４のいずれかに記載の構成に加え、前記硬質発泡プラスチックボードの屋外側の左右両端部に、隣接する前記硬質発泡プラスチックボードとで前記補助桟木を取り付け得る段差部を設けてなることを特徴とするものである。
【００２０】
また、この発明の請求項６記載の型枠兼用外断熱パネルを用いた外断熱通気工法は、硬質発泡プラスチックボードの屋外側となる面に、複数本の金属素材の縦桟木が一部を埋め込んで固定された型枠兼用外断熱パネルの前記縦桟木の間に設けられた桟木取付通気溝に、建て込み用の補助桟木の一部を埋め込んで取り付け、この型枠兼用外断熱パネルと打設空間をあけて内側型枠を組み立てた後、前記打設空間にコンクリートを打設・養生し、前記桟木取付通気溝に取り付けた前記補助桟木を取り外して通気路を形成するようにしたことを特徴とするものである。
【００２１】
さらに、この発明の請求項７記載の型枠兼用外断熱パネルを用いた外断熱通気工法は、請求項６記載の構成に加え、前記縦桟木と前記補助桟木とを同一断面形状の金属角パイプで構成したことを特徴とするものである。
【００２２】
また、この発明の請求項８記載の型枠兼用外断熱パネルを用いた外断熱通気工法は、請求項６または７記載の構成に加え、前記縦桟木にコンクリート打設側に突き出すアンカー部材を取り付けた後、コンクリートを打設するようにしたことを特徴とするものである。
【００２３】
さらに、この発明の請求項９記載の型枠兼用外断熱パネルを用いた外断熱通気工法は、請求項６〜８のいずれかに記載の構成に加え、前記型枠兼用外断熱パネルを上下方向に連結して組み立てるとともに、これら型枠兼用外断熱パネルの前記上下の桟木取付通気溝にまたがって前記補助桟木を取り付けるようにしたことを特徴とするものである。
【発明の効果】
【００２４】
この発明の請求項１記載の型枠兼用外断熱パネルによれば、硬質発泡プラスチックボードの屋外側となる面に、複数本の金属素材からなる縦桟木の一部を埋め込んで設ける一方、これら縦桟木の間に建て込み用の補助桟木の一部を埋め込んで取り付け得るとともに、取り外して通気路とする桟木取付通気溝を設けたので、金属素材の縦桟木を一部を埋め込んで断熱材となる硬質発泡プラスチックボードに取り付けておくことで、外装材を固定し易くできるとともに、その固定強度を確保することができ、コンクリート打設時の側圧荷重に対しては縦桟木と桟木取付通気溝に取り付けた補助桟木とで強度を確保することができ、一方、側圧荷重が作用しないコンクリートの固化養生後に補助桟木を取り外すことで、桟木取付通気溝までも通気路として通気性を大幅に高めることができる。
【００２５】
これにより、この型枠兼用外断熱パネルを用いることで、外断熱通気工法を簡単に施工することができる。
【００２６】
また、この発明の請求項２記載の型枠兼用外断熱パネルによれば、前記縦桟木と前記補助桟木とを同一断面形状の金属角パイプで構成したので、金属角パイプで外装材の取付強度やコンクリートの側圧荷重に対する強度を確保しながら軽量化を図ることができるとともに、型枠としての建て込みや外装材の取り付けも角パイプの平面部分を利用して簡単に行うことができ、しかも１種類の金属角パイプを用意するだけで型枠兼用外断熱パネルの製造とその施工が可能となる。
【００２７】
さらに、この発明の請求項３記載の型枠兼用外断熱パネルによれば、前記縦桟木を前記硬質発泡プラスチックボードに接着固定する一方、前記補助桟木を前記桟木取付通気溝に着脱可能に装着したので、型枠としての建て込みが短時間に効率的にでき、コンクリートの固化養生後は補助桟木を取り外すだけで通気路の施工ができる。
【００２８】
また、この発明の請求項４記載の型枠兼用外断熱パネルによれば、前記縦桟木にコンクリート打設側に突き出すアンカー部材を設けたので、縦桟木の取付強度を増大することができ、一層外装材の支持強度を向上することができる。
【００２９】
さらに、この発明の請求項５記載の型枠兼用外断熱パネルによれば、前記硬質発泡プラスチックボードの屋外側の左右両端部に、隣接する前記硬質発泡プラスチックボードとで前記補助桟木を取り付け得る段差部を設けたので、隣接する段差部を合わせることで補助桟木を取り付けることができ、型枠建て込み時の位置合わせが容易にできる。とともに、コンクリートののろの漏れ出しを抑えることができる。
【００３０】
また、この発明の請求項６記載の型枠兼用外断熱パネルを用いた外断熱通気工法によれば、硬質発泡プラスチックボードの屋外側となる面に、複数本の金属素材の縦桟木が一部を埋め込んで固定された型枠兼用外断熱パネルの前記縦桟木の間に設けられた桟木取付通気溝に、建て込み用の補助桟木の一部を埋め込んで取り付け、この型枠兼用外断熱パネルと打設空間をあけて内側型枠を組み立てた後、前記打設空間にコンクリートを打設・養生し、前記桟木取付通気溝に取り付けた前記補助桟木を取り外して通気路を形成するようにしたので、コンクリート打設時の側圧に対して金属素材の縦桟木と桟木取付通気溝に取り付けた補助桟木とで耐圧強度を確保することができ、金属素材の縦桟木により外装材を固定できる強度を確保するとともに、側圧が作用しないコンクリートの固化養生後に補助桟木を取り外すことで、桟木取付通気溝までも通気路として通気性を大幅に高めた外断熱通気工法を簡単に施工することができる。
【００３１】
さらに、この発明の請求項７記載の型枠兼用外断熱パネルを用いた外断熱通気工法によれば、前記縦桟木と前記補助桟木とを同一断面形状の金属角パイプで構成したので、金属角パイプにより外装材の取付強度やコンクリートの側圧荷重に対する強度を確保しながら軽量化を図るとともに、型枠としての建て込みや外装材の取り付けも角パイプの平面部分を利用して簡単でき、しかも１種類の角パイプを用意するだけで簡単に施工することができる。
【００３２】
また、この発明の請求項８記載の型枠兼用外断熱パネルを用いた外断熱通気工法によれば、前記縦桟木にコンクリート打設側に突き出すアンカー部材を取り付けた後、コンクリートを打設するようにしたので、縦桟木のコンクリートへの取付強度を増大することができ、一層外装材の支持強度を向上することができる。
【００３３】
さらに、この発明の請求項９記載の型枠兼用外断熱パネルを用いた外断熱通気工法によれば、前記型枠兼用外断熱パネルを上下方向に連結して組み立てるとともに、これら型枠兼用外断熱パネルの前記上下の桟木取付通気溝にまたがって前記補助桟木を取り付けるようにしたので、上下の型枠兼用外断熱パネルの位置合わせを桟木取付通気溝にまたがる補助桟木で簡単にでき、一層容易に施工することができる。
【発明を実施するための最良の形態】
【００３４】
以下、この発明の実施の形態について図面を参照して詳細に説明する。  
図１〜図４は、この発明の型枠兼用外断熱パネルおよびこれを用いた外断熱パネル通気工法の一実施の形態にかかり、図１は型枠兼用外断熱パネルの平面図および正面図、図２は型枠建て込み状態の水平断面図および垂直断面図、図３はそれぞれ型枠建て込み状態の正面図、図４はそれぞれ施工完了状態の水平断面図である。
【００３５】
この型枠兼用外断熱パネルは、コンクリート建築物の外断熱用の型枠兼用の断熱パネルであり、外型枠として内型枠と組み立て、コンクリートを打設した後、そのまま残すことで、コンクリートの外壁面に断熱パネルを取り付けた状態にするもので、断熱パネルの取り付けと同時に、通気路を形成するものである。
【００３６】
すなわち、この型枠兼用外断熱パネル１０は、例えば図１に示すように、硬質発泡プラスチックボード１１と、この硬質発泡プラスチックボード１１に一部を埋め込んで外側に突き出した状態で取り付けられ施工時に上下方向に配置される金属素材の複数本の縦桟木１２と、これら縦桟木１２の間に形成され、断熱パネルとして機能させる施工後の状態では、通気路を形成し、型枠として機能させる間は、補助桟木１４の取り付けに用いるための施工時に上下方向に配置される複数の桟木取付通気溝１３とを備えて構成されている。
【００３７】
この型枠兼用外断熱パネル１０を構成する硬質発泡プラスチックボード１１は、断熱効果の高い熱可塑性樹脂や熱硬化性樹脂素材で形成された発泡プラスチックボードで、例えばポリスチレンフォーム、ポリウレタンフォーム、ポリエチレンフォーム、ポリプロピレンフォーム、フェノールフォームなどが用いられる。
【００３８】
なかでも硬質発泡プラスチックボード１１としては、外断熱工法としてコンクリートの外面に取り付けられることから、コンクリートに含まれる湿度分を透過させることができる、透湿性に優れた硬質ポリスチレンフォームが好ましく、金型成形により溝加工が容易な硬質ポリスチレンフォームのビーズ法によるものが特に好ましい。
【００３９】
この硬質ポリスチレンフォームは、水は通さないが、水蒸気（湿度分）は通し、その透湿係数は、１００〜３００ｎｇ／ｍ２ｓＰａ程度であり、コンクリートの透湿係数が１５〜３０ｎｇ／ｍ２ｓＰａであるのに比べ、透湿性に優れる。
【００４０】
なお、透湿性については、この型枠兼用外断熱パネル１０の外側に取り付けられる外装下地材や外装材に対して、外側ほど透湿係数が大きくなる素材を配置することが好ましく、それ故に打設後のコンクリート中に含まれる湿度分を外気へ透過させ易くできる。その結果、結露防止機能をより高めることができる。
【００４１】
外装下地材として使用可能な市販の多くのパネルは、透湿係数が硬質ポリスチレンフォームより小さいことから、少なくとも透湿係数が１００ｎｇ／ｍ２ｓＰａ以上（５００ｎｇ／ｍ２ｓＰａ以下）のものを選択するのが良く、好ましくは２００ｎｇ／ｍ２ｓＰａ以上のものが好ましい。
【００４２】
一方、外装材との関係から、例えば外装用の塗装材の透湿係数としては５００ｎｇ／ｍ２ｓＰａ程度のものが多く、外装下地材の透湿係数は、５００ｎｇ／ｍ２ｓＰａ以下、好ましくは４００ｎｇ／ｍ２ｓＰａ以下のものが好ましい。
【００４３】
したがって、この型枠兼用外断熱パネル１０と組み合わせて使用する外装下地材は、その透湿係数が、２００〜４００ｎｇ／ｍ２ｓＰａ程度のものが好ましく、例えば外装下地材として軽量モルタル板（透湿係数：２４３ｎｇ／ｍ２ｓＰａ）を、外装材として塗装材（透湿係数：５００ｎｇ／ｍ２ｓＰａ）を使用すれば良い。
【００４４】
このような硬質発泡プラスチックボード１１には、縦桟木１２を一部埋め込んで取り付けるための横断面形状が矩形の桟木取付溝１２ａが両端部および中央部の３箇所に形成されるとともに、それぞれの桟木取付溝１２ａの間に２箇所ずつ補助桟木１４を取り付けたり、通気路とする横断面形状が矩形の桟木取付通気溝１３が形成してある。
【００４５】
この型枠兼用外断熱パネル１０では、桟木取付溝１２ａと桟木取付通気溝１３が同一寸法とされ、等間隔に７本形成してあり、コンクリート壁面の上下方向に沿って溝が配置されるようにする。その結果、コンクリート打設時にこのパネル１０にかかる側圧を均一に分散させることができるので、このパネル１０の破損をより防止することができる。
【００４６】
この桟木取付溝１２ａは取り付けられる縦桟木１２で型枠兼用外断熱パネル１０の外側に取り付ける外装下地材や外装材の固定に必要な支持強度を満たすようにその本数や大きさが定められ、桟木取付通気溝１３は取り付けられる補助桟木１４と、桟木取付溝１２ａに取り付ける縦桟木１２とでコンクリートの打設時の側圧荷重を支持するのに必要な支持強度を満たすようにその本数や大きさが定められる。
【００４７】
この型枠兼用外断熱パネル１０では、例えば、硬質ポリスチレンフォームの硬質発泡プラスチックボード１１を幅９００〜９１０ｍｍ、長さ２５００〜４０００ｍｍ、厚さ６０ｍｍとした場合に、縦桟木１２および補助桟木１４として溶融亜鉛めっき鋼鈑、あるいはガルバリウム鋼鈑の厚みが１．０〜２．３ｍｍで１辺が３０ｍｍの正方形断面の角パイプが用いられ、この場合には、上記縦桟木１２を３本として支持強度を確保し、補助桟木１４を４本として合計７本で側圧支持強度を確保するようにしてある。
【００４８】
そして、１辺が３０ｍｍの角パイプの縦桟木１２は、桟木取付溝１２ａの深さを２０ｍｍとして埋め込まれるようにし、１０ｍｍだけ外側に突き出すようにしてあり、正方形乃至矩形の角パイプを用いることで、硬質発泡プラスチックボード１１との接着を容易とするとともに、外装材や外装下地材などの取り付けをより一層容易とする。また、桟木取付通気溝１３として幅３０ｍｍ、深さ２０ｍｍの矩形断面の溝が形成され、例えば桟木取付溝１２と同様、金型成形で成形される。
【００４９】
なお、縦桟木１２や補助桟木１４としては、厚みが１．０〜２．３ｍｍで１辺が３０ｍｍ以上の正方形断面あるいは長方形断面の角パイプであれば良く、必要強度と重量を考慮して肉厚が定められる。
【００５０】
この型枠兼用外断熱パネル１０では、桟木取付溝１２ａに予め縦桟木１２が接着剤や弾性接着剤などによる接着などで固定され、桟木取付通気溝１３には、施工時に補助桟木１４が着脱自在に取り付けられ、コンクリート打設後は、補助桟木１４は取り外される。
【００５１】
次に、このような型枠兼用外断熱パネル１０を用いる外断熱通気工法について説明する。
この型枠兼用外断熱パネル１０を用いる外断熱通気工法では、図２に建て込み状態を示すように、建て込み前に予め現場あるいは工場などで一回のコンクリートの打設高さに必要な型枠兼用外断熱パネル１０の桟木取付通気溝１３に補助桟木１４を嵌め込むなどで取り外すことができるように取り付ける。
【００５２】
この後、型枠兼用外断熱パネル１０の縦桟木１２や補助桟木１４が上下方向となるとともに、桟木１２、１４が屋外側となるように配置し、これまでのコンクリート打設用の型枠の建て込みと同様に、水平に配置される横端材２１としての２本の単管とフォームタイ２２を配置する。
【００５３】
一方、型枠兼用外断熱パネル１０と打設空間２３を空けて内型枠２４を配置し、間隔をセパレータ２５および断熱コーン２６で支持確保するとともに、内型枠２４の外側に縦端材２７と横端材２８としての２本の単管とフォームタイ２９を配置し、内外のフォームタイ２２，２９を軸足３０を介して連結して固定するようにする。
【００５４】
このようなセパレータ２５を挟んで外側のフォームタイ２２、２９などを取り付ける部分は、型枠兼用外断熱パネル１０の縦桟木１２や補助桟木１４の間の硬質発泡プラスチックボード１１部分とすることで、作業を容易にすることができる。
【００５５】
また、縦桟木１２には、図２（ａ）中に拡大して示すように、外側に大きい孔をあけ、この孔から入れたアンカー部材３１を溝底面側から打設空間２３に突き出すように取り付けておく。
【００５６】
このアンカー部材３１としては、インサートねじを備えるもののほか、単なるねじ状のものなどコンクリートへの取付強度を確保できるものであればどのような形状のものでも良く、特に熱伝導率の小さい素材のものであることが断熱性能を確保するために好ましい。
【００５７】
また、型枠兼用外断熱パネル１０の繋ぎ目には、ジョイナーなどを使用してコンクリートののろが漏出することを防止する。
【００５８】
なお、図示省略したが、出隅部分を建て込む場合には、角頂部に補助桟木を配置できる桟木取付通気溝を備えた出隅用型枠兼用外断熱パネルを用意し、標準のパネルである上記型枠兼用外断熱パネル１０を角頂部の補助桟木と面一となるように直角に配置できる硬質発泡プラスチックボードの一部を切り欠いたものを用意することで、出隅用型枠兼用外断熱パネルと標準の型枠兼用外断熱パネル１０を直角に突き合わすことで簡単に建て込むことができる。
【００５９】
また、型枠兼用外断熱パネル１０を上下方向に連結して建て込む場合には、図３（ａ）に示すように、上下の型枠兼用外断熱パネル１０の桟木取付通気溝１３に跨るように補助桟木１４を取り付けることで上下の型枠兼用外断熱パネル１０の位置合わせを簡単に行うことができる。
【００６０】
さらに、窓などの開口部の部分では、例えば図３（ｂ）に示すように、縦桟木１２の上端に隙間を形成することで、通気路を確保するようにすれば良い。
【００６１】
こうして、型枠兼用外断熱パネル１０を屋外側に配置し、内型枠を建て込んだ後、コンクリートを打設し、コンクリートを固化・養生する。
【００６２】
この後、図４に示すように、桟木取付通気溝１３に取り付けた補助桟木１４を取り外した後、外装を施工する。
【００６３】
例えば、外装施工として外装下地材４１を取り付ける場合には、縦桟木１２にタッピングビス４２などを用いて固定したり、専用取付金具を用意して縦桟木１２に装着して外装下地材４１を固定する。
【００６４】
そして、外装下地材４１の目地部分には、必要に応じて断熱材である硬質発泡プラスチックボード１１と同一素材などの目地シール材４３を接着するようにする。
こうして外装下地材４１を取り付けた後、外装材を取り付けるようにすれば良い。
【００６５】
このような型枠兼用外断熱パネル１０によれば、桟木取付通気溝１３を設けておき、型枠として機能させる場合に、補助桟木１４を取り付けることで、コンクリートの打設に伴う側圧荷重を支持することができる。
【００６６】
例えば縦桟木１２と硬質発泡プラスチックボード１１との接着強度を３．０ｋｇ／ｃｍ2とし、縦桟木１２を１ｍ２あたり３本使用することで、２７００ｋｇ／ｍ2の保持力を確保することができ、コンクリートと硬質発泡プラスチックボード１１との接着強度は、通常、１．３〜２．５ｋｇ／ｃｍ２であることから、型枠兼用外断熱パネル１０として、１ｍ2あたり１３ｔｏｎから２５ｔｏｎの外装材などの支持力を確保することができる。
【００６７】
また、コンクリートを打設する場合に型枠兼用外断熱パネル１０の１ｍ2あたりに作用する側圧は４８００ｋｇ／ｍ2であり、縦桟木１２と補助桟木１４を１ｍ2あたり合計７本使用することで得られる支持荷重は、７０００ｋｇ／ｍ2であり、側圧荷重に対する強度も十分確保することができる。
一方、コンクリートの固化・養生後、補助桟木１４を取り外すことで、桟木取付通気溝１３を通気路として機能させることができ、外装材や外装下地材の裏側の通気性を確保することができる。
【００６８】
また、取り除く補助桟木１４は、使いまわすことができ、有効に利用することができる。
【００６９】
次に、この発明の型枠兼用外断熱パネルの他の一実施の形態について、図５により説明する。
この型枠兼用外断熱パネル１０Ａでは、縦桟木１２と補助桟木１４Ａの大きさが変えてあり、幅の大きい角パイプを使用するとともに、縦桟木１２の間に一本だけ配置するようにしている。
【００７０】
また、硬質発泡プラスチックボード１１の両端部に段差部１１ａが建て込み時に上下方向に配置されるよう桟木取付溝１２ａや桟木取付通気溝１３Ａと平行に形成してあり、型枠兼用外断熱パネル１０Ａ，１０Ａを隣り合わせて並べた場合に、両側の段差部１１ａ，１１ａが補助桟木１４を取り付ける溝となるようにしてある。
【００７１】
これにより、２つの段差部１１ａ，１１ａに補助桟木１４を取り付けることで、型枠兼用断熱パネル１０Ａ，１０Ａの位置合わせが容易にできるとともに、補助桟木１４によって打設されるコンクリートののろの漏出を防止することができる。
【００７２】
また、この型枠兼用外断熱パネル１０Ａは、既に説明した型枠兼用断熱パネル１０と同様にして建て込むことができ、同様の効果を奏する。
【００７３】
なお、上記実施の形態では、２つの型枠兼用外断熱パネル１０、１０Ａを例に説明したが、段差部を設けることや、縦桟木と補助桟木の大きさや本数を変えることなどを組み合わせて構成するようにしても良い。
【図面の簡単な説明】
【００７４】
【図１】この発明の型枠兼用外断熱パネルおよびこれを用いた外断熱通気工法の一実施の形態にかかる型枠兼用外断熱パネルの平面図および正面図である。
【図２】この発明の型枠兼用外断熱パネルおよびこれを用いた外断熱通気工法の一実施の形態に型枠建て込み状態の水平断面図および垂直断面図である。
【図３】この発明の型枠兼用外断熱パネルおよびこれを用いた外断通気工法の一実施の形態にそれぞれ型枠建て込み状態の正面図である。
【図４】この発明の型枠兼用外断熱パネルおよびこれを用いた外断熱通気工法の一実施の形態にそれぞれ施工完了状態の水平断面図である。
【図５】この発明の型枠兼用外断熱パネルおよびこれを用いた外断熱通気工法の他の一実施の形態にかかる型枠兼用外断熱パネルの平面図および正面図である。
【符号の説明】
【００７５】
１０，１０Ａ                        型枠兼用外断熱パネル
１１                                硬質発泡プラスチックボード
１２                                縦桟木
１２ａ                              桟木取付溝
１３，１３Ａ                        桟木取付通気溝
１４                                補助桟木
２１                                横端材
２２                                フォームタイ
２３                                打設空間
２４                                内型枠
２５                                セパレータ
２６                                断熱コーン
２７                                縦端材
２８                                横端材
２９                                フォームタイ
３０                                軸足
３１                                アンカー部材
４１                                外装下地材
４２                                タッピングビス
４３                                目地シール材
【図１】
2007218022.tif 000003
【図２】
2007218022.tif 000004
【図３】
2007218022.tif 000005
【図４】
2007218022.tif 000006
【図５】
2007218022.tif 000007